(57)【要約】【課題】本発明の目的は、室温の誤検出を抑制できる空調室内機を提供することである。【解決手段】本体ケーシング１１と、熱交換器１３と、温度センサと、を備える。本体ケーシング１１は、下吸込口２１が下部に、上吸込口２２が前部及び／又は上部に設けられている。熱交換器１３は、本体ケーシング１１内に設けられ、下吸込口２１及び／又は上吸込口２２から吸い込まれた空気の熱交換を行う。温度センサは、下吸込口２１から熱交換器に至る下吸込経路１６及び上吸込口２２から熱交換器１３に至る上吸込経路２０に設けられている。【選択図】図２
2013204886.tif 000002
【特許請求の範囲】
【請求項１】
第１吸込口（２１）が下部に、第２吸込口（２２）が前部及び／又は上部に設けられている本体ケーシング（１１）と、
前記本体ケーシング内に設けられ、前記第１吸込口及び／又は前記第２吸込口から吸い込まれた空気の熱交換を行う熱交換器（１３）と、
前記第１吸込口から前記熱交換器に至る第１吸込経路（１６）及び前記第２吸込口から前記熱交換器に至る第２吸込経路（２０）に設けられている温度センサと、
を備える空調室内機（１０）。
【請求項２】
前記温度センサは前記第１吸込経路及び前記第２吸込経路それぞれに設けられている、請求項１に記載の空調室内機。
【請求項３】
前記第１吸込口を開閉するシャッター（３１）と、
前記第１吸込口から吸い込まれた空気の温度を測定する場合に、前記シャッターを開く開閉制御部（７１）と、
をさらに備える、請求項１に記載の空調室内機。
【請求項４】
前記本体ケーシングに設けられた吹出口を開閉するフラップ（２９）と、
室温を制御する室温制御部（７２）と、をさらに備え、
前記室温制御部は、
暖房運転時において、
前記フラップと鉛直方向下方とのなす角度が、所定の閾値角度よりも大きい場合には、前記第１吸込経路の温度センサにより測定した温度に基づいて室温を制御し、
前記フラップと鉛直方向下方とのなす角度が、前記閾値角度よりも小さい場合には、前記第２吸込経路の温度センサにより測定した温度に基づいて室温を制御する、請求項２に記載の空調室内機。
【請求項５】
一の空調室外機（８０）と、
前記一の空調室外機に接続されている複数の請求項１に記載の空調室内機と、
を備える空調システム（１００）であって、
前記複数の空調室内機には、暖房運転されている運転室内機と、運転されていない非運転室内機とが含まれ、前記非運転室内機は、暖房運転を開始する場合、前記第１吸込経路から吸い込まれた空気の温度を測定する、空調システム。
【発明の詳細な説明】
【技術分野】
【０００１】
本発明は、空調室内機及び空調システムに関する。
【背景技術】
【０００２】
特許文献１（特開２００１−３１１５３０号公報）には、本体の前部、上部及び下部にそれぞれ吸込口を有している空調室内機が開示されている。各吸込口から流入した空気は熱交換機により熱交換された後、吹出流路を介して吹出口から吹き出される。このような空調室内機では、一般的に、吸込口から吸い込まれた空気の温度を測定することで室温を検出し、室温を設定温度に近づけるように運転が制御される。
【発明の概要】
【発明が解決しようとする課題】
【０００３】
暖房運転時においては、吹出口から吹き出す空気は、室温よりも温度が高いために室内の上部、例えば天井付近に溜まりやすい。よって、本体の前部及び上部の吸込口から吸い込まれる空気の温度は高く、この空気の温度に基づいて室温を検出すると、室温を正確に測定することができない。そのため、空調室内機は室内が暖まったと判断し、暖房運転を緩めてしまう。前述の特許文献１にはこのような問題に着目した構成は開示されていない。
【０００４】
そこで、本発明の目的は、室温の誤検出を抑制できる空調室内機を提供することである。
【課題を解決するための手段】
【０００５】
本発明の第１観点に係る空調室内機は、本体ケーシングと、熱交換器と、温度センサと、を備える。本体ケーシングには、第１吸込口が下部に、第２吸込口が前部及び／又は上部に設けられている。熱交換器は、本体ケーシング内に設けられ、第１吸込口及び／又は第２吸込口から吸い込まれた空気の熱交換を行う。温度センサは、第１吸込口から熱交換器に至る第１吸込経路及び第２吸込口から熱交換器に至る第２吸込経路に設けられている。
【０００６】
この空調室内機によれば、温度センサは、本体ケーシング下部の第１吸込口から吸い込まれた空気の温度を測定することで正しい室温を検出する。よって、暖房運転時に室内上部に溜まった暖気の温度を測定してしまうことによる室温の誤検出を抑制できる。温度センサは１つであってもよいし、吸込経路ごとに設けられていてもよい。
【０００７】
本発明の第２観点に係る空調室内機は、第１観点に係る空調室内機において、温度センサは第１吸込経路及び第２吸込経路それぞれに設けられている。
【０００８】
この空調室内機によれば、第１吸込口から吸い込まれた空気の温度は第１吸込経路の温度センサにより測定され、第２吸込口から吸い込まれた空気の温度は第２吸込経路の温度センサにより測定される。よって、第１吸込口から吸い込まれた空気及び第２吸込口から吸い込まれた空気の温度をそれぞれ別個に測定することができる。
【０００９】
本発明の第３観点に係る空調室内機は、第１観点に係る空調室内機において、第１吸込口を開閉するシャッターと、第１吸込口から吸い込まれた空気の温度を測定する場合に、シャッターを開く開閉制御部と、をさらに備える。
【００１０】
この空調室内機によれば、開閉制御部が第１吸込口のシャッターを開閉することにより、温度センサは第１吸込経路又は第２吸込経路からの空気の温度を選択的に測定することができる。
【００１１】
本発明の第４観点に係る空調室内機は、第２観点に係る空調室内機において、本体ケーシングに設けられた吹出口を開閉するフラップと、室温を制御する室温制御部と、をさらに備えている。室温制御部は、暖房運転時において、フラップと鉛直方向下方とのなす角度が、所定の閾値角度よりも大きい場合には、第１吸込経路の温度センサにより測定した温度に基づいて室温を制御する。一方、室温制御部は、フラップと鉛直方向下方とのなす角度が、閾値角度よりも小さい場合には、第２吸込経路の温度センサにより測定した温度に基づいて室温を制御する。
【００１２】
この空調室内機によれば、室温制御部は、フラップの角度に応じて、第１吸込経路の温度センサが測定した温度及び第２吸込経路の温度センサが測定した温度のうち、より室温に近いと推定される方を室温と判断する。よって、室温をより精度良く特定することができる。
【００１３】
本発明の第５観点に係る空調システムは、一の空調室外機と、一の空調室外機に接続されている複数の空調室内機と、を備える。複数の空調室内機には、暖房運転されている運転室内機と、運転されていない非運転室内機とが含まれ、非運転室内機は、暖房運転を開始する場合、第１吸込経路から吸い込まれた空気の温度を測定する。
【００１４】
この空調システムにおいて、非運転室内機は暖房運転されていないものの、その配管には、運転室内機により暖められた冷媒が一の空調室外機を通じて供給されている。よって、非運転室内機が設けられた室内の上部には暖気が溜まっている。よって、非運転室内機は、暖気による室温の誤検出を抑制するため、暖房運転の開始時は本体ケーシング下部の第１吸込口から吸い込まれた空気の温度を測定することで室温を検出する。
【発明の効果】
【００１５】
本発明の第１観点に係る空調室内機では、温度センサは、本体ケーシング下部の第１吸込口から吸い込まれた空気の温度を測定することで正しい室温を検出することができる。
【００１６】
本発明の第２観点に係る空調室内機では、第１吸込口から吸い込まれた空気の温度は第１吸込経路の温度センサにより測定することができ、第２吸込口から吸い込まれた空気の温度は第２吸込経路の温度センサにより測定することができる。
【００１７】
本発明の第３観点に係る空調室内機では、開閉制御部が第１吸込口のシャッターを開閉することにより、温度センサは第１吸込経路又は第２吸込経路からの空気の温度を選択的に測定することができる。
【００１８】
本発明の第４観点に係る空調室内機では、室温をより精度良く特定することができる。
【００１９】
本発明の第５観点に係る空調システムでは、非運転室内機において、暖房運転の開始時は、本体ケーシング下部の第１吸込口から吸い込まれた空気の温度を測定することで暖気による室温の誤検出を抑制することができる。
【図面の簡単な説明】
【００２０】
【図１】本発明の一実施形態に係る空調室内機の斜視図である。
【図２】本発明の一実施形態に係る空調室内機の断面図である。
【図３】制御部の機能構成及びハードウェア構成を示すブロック図である。
【図４】フラップの角度θｆが所定の閾値角度θｔｈよりも大きい場合にシャッターが開かれている様子を示す模式図である。
【図５】フラップの角度θｆが所定の閾値角度θｔｈ以下である場合にシャッターが閉じられている様子を示す模式図である。
【図６】制御部が実行する処理の流れを示すフローチャートである。
【図７】温度センサの設置位置を説明する模式図である。
【図８】温度センサの設置位置の変形例を示す断面図である。
【図９】１つの温度センサを設けた空調室内機１０の断面図である。
【図１０】１台の空調室外機に複数台の空調室内機が接続されている空調システムの構成図である。
【発明を実施するための形態】
【００２１】
以下、図面を参照しながら、本発明の実施形態について説明する。なお、以下の実施形態は、本発明の具体例であって、本発明の技術的範囲を限定するものではない。
【００２２】
＜実施形態例＞
（１）全体構成
図１、図２を用いて空調室内機１０の全体構成について説明する。図１は、本発明の一実施形態に係る空調室内機の斜視図である。図２は、本発明の一実施形態に係る空調室内機の断面図である。
【００２３】
本発明の一実施形態に係る空調室内機１０は壁掛けタイプであり、本体ケーシング１１、熱交換器１３、室内ファン１５、第１フレーム１７、第２フレーム２７、フィルタ２５及び制御部４１が搭載されている。
【００２４】
本体ケーシング１１は、前面グリル１１ａ及び前面パネル１１ｂを有し、取付板１１ｃを介して設置側壁４５（図３参照）に取り付けられる。前面グリル１１ａ、前面パネル１１ｂ及び第１フレーム１７によって形成される立体空間内に、熱交換器１３、室内ファン１５、フィルタ２５及び制御部４１が収まっている。第１フレーム１７の背面には、取付板１１ｃとの間に第２フレーム２７が設けられている。前面パネル１１ｂは、前面グリル１１ａの前面を覆っており、上端が前面グリル１１ａに回動自在に支持され、ヒンジ式に動作することができる。
【００２５】
熱交換器１３は、通過する空気との間で熱交換を行う。また、熱交換器１３は、側面視において両端が下方に向いて屈曲する逆Ｖ字状の形状を成し、第１フレーム１７に取り付けられている。
【００２６】
室内ファン１５は熱交換器１３の下方に位置する。室内ファン１５は、クロスフローファンであり、室内から取り込んだ空気を、熱交換器１３に当てて通過させた後、室内に吹き出す。
【００２７】
本体ケーシング１１の下面部には、吹出口１９が設けられている。吹出口１９には、吹出口１９から吹き出される空気を案内するフラップ２９が回動自在に取り付けられている。フラップ２９は、モータ（図示せず）によって駆動し、空気の吹出方向を変更するだけでなく、吹出口１９を開閉することもできる。吹出口１９は、吹出経路１８を介して本体ケーシング１１の内部と繋がっており、熱交換器１３において熱交換された空気を吹き出す。吹出経路１８は吹出口１９から第１フレーム１７に沿って形成されている。
【００２８】
さらに本体ケーシング１１の下面部には、下吸込口２１が吹出口１９よりも壁側に設けられている。下吸込口２１は、第１フレーム１７と第２フレーム２７との下部の開口により形成されており、下吸込経路１６を介して本体ケーシング１１の内部と繋がっている。下吸込口２１には、開閉機構３２の回動により下吸込口２１を開閉するシャッター３１が設けられている。下吸込経路１６は、第１フレーム１７と第２フレーム２７との間に沿って形成されている。よって、下吸込経路１６は、第１フレーム１７を挟んで吹出経路１８と隣接している。
【００２９】
第１フレーム１７には連通口１７ｅが設けられており、第２フレーム２７は、連通口１７ｅを覆うように第１フレーム１７の背面側から装着されている。よって、下吸込口２１近傍の室内空気は、室内ファン１５の稼動によって下吸込口２１及び下吸込経路１６、連通口１７ｅ、フィルタ２５及び熱交換器１３を経て室内ファン１５に吸い込まれ、室内ファン１５から吹出経路１８を経て吹出口１９から吹き出される。
【００３０】
本体ケーシング１１の前面グリル１１ａと熱交換器１３との間にはフィルタ２５が配置されている。フィルタ２５は、熱交換器１３に向って流入してくる空気に含まれる塵埃を除去する。
【００３１】
前面グリル１１ａの前上部には、上吸込口２２が設けられている。上吸込口２２からフィルタ２５までの経路が上吸込経路２０であり、上吸込口２２は上吸込経路２０を介して本体ケーシング１１の内部と繋がっている。上吸込口２２近傍の室内空気は、室内ファン１５の稼動によって上吸込口２２、上吸込経路２０、フィルタ２５及び熱交換器１３を経て室内ファン１５に吸い込まれ、室内ファン１５から吹出経路１８を経て吹出口１９から吹き出される。
【００３２】
上部温度センサ５０及び下部温度センサ５１は空気の温度を測定するためのセンサである。上部温度センサ５０は上吸込経路２０のうち上吸込口２２の近傍に設けられており、上吸込口２２から吸い込まれた空気の温度を測定する。下部温度センサ５１は下吸込経路１６の例えば中間付近に設けられており、下吸込口２１から吸い込まれた空気の温度を測定する。
【００３３】
制御部４１は、本体ケーシング１１の前方部分に収まっており、吹出口１９の開度調節、下吸込口２１の開度調節及び室内ファン１５の回転数制御のための指令を行う。
【００３４】
（２）制御部の構成
暖房運転時は、吹出口１９から吹き出される空気は室温よりも高いために、暖められた暖気が室内の上部に溜まる。一般的に空調室内機１０は室内上部に設けられており、上吸込口２２からは室内上部に溜まった暖気が吸い込まれる。この暖気の温度を上部温度センサ５０が測定してしまうと室温の誤検出が発生してしまう。また、暖房運転時に吹出口１９の開閉を行うフラップ２９が下向きに開いている場合、下部温度センサ５１が下吸込口２１からの空気の温度を測定した場合も誤検出が発生し得る。なぜなら、フラップ２９に沿って吹出口１９から下向きに吹き出された空気が直に下吸込口２１に吸い込まれる現象（いわゆるショートサーキット）が発生し得るからである。
【００３５】
そこで、制御部４１は、暖房運転時においてフラップ２９の角度に応じて下吸込口２１の開閉を制御する。そして、制御部４１は、フラップ２９の角度に応じて、上部温度センサ５０が測定した温度又は下部温度センサ５１が測定した温度のいずれかを室温と推定し、推定した室温及び設定温度に基づいて室温を制御する。
【００３６】
このような制御を行う制御部４１の機能構成及びハードウェア構成について図３を用いて以下に説明する。図３は制御部の機能構成及びハードウェア構成を示すブロック図である。
【００３７】
制御部４１は、ＣＰＵ（Central Processing Unit）６０、ＲＡＭ（Random Access Memory）６１及びＲＯＭ（Read Only Memory）６２を有している。
【００３８】
ＲＯＭ６２は、空調室内機１０の全体を制御するための制御プログラム７４を格納している。
【００３９】
ＲＡＭ６１は閾値角度テーブル７３を有している。閾値角度テーブル７３には、フラップ２９の角度θｆとの比較対象となる閾値角度θｔｈが記憶されている。その他、ＲＡＭ６１は、上部温度センサ５０及び下部温度センサ５１が測定した温度、フラップ２９の角度θｆ、シャッター３１の開閉状態、冷房及び暖房などの運転状態などの情報を記憶している。また、ＲＡＭ６１は、ＣＰＵ６０がＲＯＭ６２から読み出した制御プログラムを一時的に記憶し、ＣＰＵ６０が各種機能を実行するための作業領域を提供する。
【００４０】
ＣＰＵ６０は、開閉制御部７１及び室温制御部７２を含む。開閉制御部７１は室温制御部７２からの制御に応じて、開閉機構３２を駆動させて下吸込口２１のシャッター３１を開閉する。また、開閉制御部７１は、使用者の要求に応じてシャッター３１を開閉することもできる。
【００４１】
室温制御部７２は室温制御の全般を行う。特に、暖房運転時においては、室温制御部７２は、フラップ２９と鉛直方向下方とのなす角度θｆと、所定の閾値角度θｔｈとを比較し、比較結果に基づいて上部温度センサ５０が測定した温度又は下部温度センサ５１が測定した温度のいずれかを室温と推定する。具体的には、室温制御部７２は、フラップ２９の角度θｆが所定の閾値角度θｔｈよりも大きい場合には、下吸込経路１６の下部温度センサ５１により測定した温度を室温と推定して室温制御を行う。一方、室温制御部７２は、フラップ２９の角度θｆが所定の閾値角度θｔｈよりも小さい場合には、上吸込経路２０の上部温度センサ５０により測定した温度を室温と推定して室温制御を行う。
【００４２】
さらに、室温制御部７２は、暖房運転時において室温を推定する際に、フラップ２９の角度θｆに基づいて下吸込口２１のシャッター３１の開閉を制御する。図４及び図５を用いてこのようなシャッター３１の開閉制御について説明する。図４は、フラップの角度θｆが所定の閾値角度θｔｈよりも大きい場合にシャッターが開かれている様子を示す模式図である。図５は、フラップの角度θｆが所定の閾値角度θｔｈ以下である場合にシャッターが閉じられている様子を示す模式図である。
【００４３】
図４に示すように、フラップ２９と鉛直方向下方とのなす角度θｆが所定の閾値角度θｔｈよりも大きい場合には、吹出経路１８からの空気は、吹出口１９からフラップ２９に沿って前方方向（矢印参照）に吹き出される。よって、吹出口１９から吹き出された空気が直に下吸込口２１に吸い込まれるショートサーキットは発生しにくい。また、暖房運転時には室内上部に暖気が溜まり、上吸込口２２から暖気が吸い込まれやすくなっている。そこで、室温制御部７２は、フラップ２９の角度θｆが所定の閾値角度θｔｈよりも大きい場合には、開閉制御部７１を制御して下吸込口２１のシャッター３１開く。これにより、下部温度センサ５１は下吸込口２１から吸い込まれた空気の温度を測定することができる。そして、室温制御部７２は、下部温度センサ５１が測定した温度を室温と推定する。
【００４４】
一方、図５に示すように、フラップ２９と鉛直方向下方とのなす角度θｆが所定の閾値角度θｔｈ以下の場合には、吹出経路１８からの空気は、吹出口１９からフラップ２９に沿って下方向（矢印参照）に吹き出される。よって、吹出口１９から吹き出された空気が直に下吸込口２１に吸い込まれるショートサーキットが発生しやすい。そこで、室温制御部７２は、フラップ２９の角度θｆが所定の閾値角度θｔｈ以下の場合には、開閉制御部７１を制御して下吸込口２１のシャッター３１閉じる。これにより下吸込口２１からは空気が取り込まれないのでショートサーキットを防止することができる。この場合には、室温制御部７２は、上部温度センサ５０が測定した温度を室温と推定する。
【００４５】
（３）処理の流れ
次に、図６を用いて空調室内機の制御部が実行する処理の流れについて説明する。図６は、制御部が実行する処理の流れを示すフローチャートである。
【００４６】
ステップＳ１：室温制御部７２は暖房運転されているか否かを判定する。例えば室温制御部７２はＲＡＭ６１に記憶されている運転状態に基づいて、暖房運転の有無を判定する。暖房運転されている場合（Ｙｅｓ）にはステップＳ２が実行される。一方、暖房運転されていない場合（Ｎｏ）には室温制御部７２は待機する。
【００４７】
ステップＳ２：室温制御部７２はＲＡＭ６１からフラップ２９の角度θｆを読み出し、閾値角度テーブル７３の所定の閾値角度θｔｈと比較する。角度θｆが所定の閾値角度θｔｈよりも大きい場合（Ｙｅｓ）にはステップＳ３が実行される。一方、角度θｆが所定の閾値角度θｔｈ以下の場合（Ｎｏ）にはステップＳ６が実行される。
【００４８】
ステップＳ３：室温制御部７２はＲＡＭ６１を参照して、下吸込口２１のシャッター３１が閉じているか否かを判定する。シャッター３１が閉じている場合（Ｙｅｓ）にはステップＳ４が実行される。一方、シャッター３１が開いている場合（Ｎｏ）にはステップＳ５が実行される。
【００４９】
ステップＳ４：室温制御部７２は開閉制御部７１を制御して閉じているシャッター３１開く。
【００５０】
ステップＳ５：下吸込口２１のシャッター３１が開かれており、下部温度センサ５１は下吸込口２１から吸い込まれた空気の温度を測定している。室温制御部７２は、下部温度センサ５１により測定した温度を室温と推定して室温制御を行う。
【００５１】
ステップＳ６：室温制御部７２はＲＡＭ６１を参照して、下吸込口２１のシャッター３１が閉じているか否かを判定する。シャッター３１が開いている場合（Ｎｏ）にはステップＳ７が実行される。一方、シャッター３１が閉じている場合（Ｙｅｓ）にはステップＳ８が実行される。
【００５２】
ステップＳ７：室温制御部７２は開閉制御部７１を制御して開いているシャッター３１閉じる。
【００５３】
ステップＳ８：下吸込口２１のシャッター３１が閉じられており、上部温度センサ５０は上吸込口２２から吸い込まれた空気の温度を測定している。室温制御部７２は、上部温度センサ５０により測定した温度を室温と推定して室温制御を行う。
【００５４】
（４）特徴
（４−１）
暖房運転時は、吹出口１９から吹き出される空気は室温よりも高いために、暖められた暖気が室内の上部に溜まる。一般的に空調室内機１０は室内上部に設けられており、上吸込口２２からは室内上部に溜まった暖気が吸い込まれる。この暖気の温度を温度センサが測定してしまうと室温の誤検出が発生してしまう。
【００５５】
そこで、空調室内機１０は、本体ケーシング１１下部の下吸込口２１から吸い込まれた空気の温度を下部温度センサ５１により測定することで正しい室温を検出する。よって、暖房運転時に室内上部に溜まった暖気の温度を測定してしまうことによる室温の誤検出を抑制できる。
【００５６】
（４−２）
上吸込経路２０には上部温度センサ５０が設けられており、下吸込経路１６には下部温度センサ５１が設けられている。よって、上吸込口２２から吸い込まれた空気及び下吸込口２１から吸い込まれた空気の温度をそれぞれ別個に測定することができる。
【００５７】
（４−３）
通常の暖房運転時には、室内上部に溜まった暖気の温度を測定しないように、開閉制御部７１は下吸込口２１のシャッター３１を開き、本体ケーシング１１下部の下吸込口２１から吸い込まれた空気の温度が室温として測定される。一方、暖房運転時において、吹出口のフラップ２９が下向きに開いている場合には、開閉制御部７１は下吸込口２１のシャッター３１を閉じてショートサーキットの影響を避ける。このとき、本体ケーシング１１前部及び／又は上部の上吸込口２２から吸い込まれた空気の温度が室温として測定される。
【００５８】
（４−４）
暖房運転時においては、室温制御部７２は、フラップ２９と鉛直方向下方とのなす角度θｆと、所定の閾値角度θｔｈとを比較し、比較結果に基づいて上部温度センサ５０が測定した温度又は下部温度センサ５１が測定した温度のいずれかを室温と推定する。具体的には、室温制御部７２は、フラップ２９の角度θｆが所定の閾値角度θｔｈよりも大きい場合には、下吸込経路１６の下部温度センサ５１により測定した温度を室温と推定して室温制御を行う。一方、室温制御部７２は、フラップ２９の角度θｆが所定の閾値角度θｔｈよりも小さい場合には、上吸込経路２０の上部温度センサ５０により測定した温度を室温と推定して室温制御を行う。
【００５９】
（４−５）
空調システム１００においては、１台の空調室外機８０に複数台の空調室内機１０が接続され得る。このような空調システム１００において、複数台の空調室内機１０のうち一部の空調室内機１０のみが暖房運転している場合がある。運転されていない非運転の空調室内機１０は暖房運転されていないものの、その配管８１には、運転されている空調室内機１０により暖められた冷媒が一の空調室外機８０を通じて供給されている。よって、非運転の空調室内機１０が設けられた室内の上部には暖気が溜まっている。そこで、非運転の空調室内機１０は、暖気による室温の誤検出を抑制するため、暖房運転の開始時は下吸込口２１から吸い込まれた空気の温度を測定することで室温を検出する。
【００６０】
（５）変形例
（５−１）変形例１Ａ
上記実施形態では、上吸込口２２の近傍に上部温度センサ５０を設けている。しかし、上部温度センサ５０は、上吸込口２２から吸い込まれる空気の温度を測定できればその設置位置は上吸込口２２の近傍に限定されない。同様に、下部温度センサ５１の位置も下吸込口２１から吸い込まれる空気の温度を測定できればその位置は限定されない。
【００６１】
図７、図８を用いて具体的に説明する。図７は温度センサの設置位置を説明する模式図である。図８は温度センサの設置位置の変形例を示す断面図である。
【００６２】
上吸込経路２０は、上吸込口２２から吸い込まれた空気がフィルタ２５を介して熱交換器１３に至る経路である。一方、下吸込経路１６は、下吸込口２１から吸い込まれた空気がフィルタ２５を介して熱交換器１３に至る経路である。また、合流部Ａは、上吸込経路２０からの空気と下吸込経路１６から空気とが合流する領域である。
【００６３】
上部温度センサ５０は図７に示される上吸込経路２０のいずれかの位置に設けられればよい。ただし、熱交換器１３からの輻射熱の影響により上吸込口２２から吸い込まれた空気の温度を正確に測定できない可能性がある。よって、上部温度センサ５０は熱交換器１３からの輻射熱の影響が少ない位置に設けるのが好ましい。さらに、上部温度センサ５０そのものの大きさ、上部温度センサ５０の接続配線用の空間及び空調室内機１０全体の大きさ等を考慮して、上部温度センサ５０は上吸込経路２０の他の部材が設けられていない空きスペースに設けるのがよい。
【００６４】
例えば、上部温度センサ５０の位置は図２に示す位置に限定されず、図８に示すように前面グリル１１ａ、第１フレーム１７及びフィルタ２５により囲まれた三角形状の領域であってもよい。また、三角形状の領域のうち熱交換器１３から離れた角部に上部温度センサ５０設けると、熱交換器１３からの輻射熱の影響が少ないのでさらに好ましい。
【００６５】
また、下部温度センサ５１は下吸込経路１６のいずれかの位置に設けられればよい。例えば、図８に示すように下吸込口２１の近傍に下部温度センサ５１を設けてもよい。ただし、上部温度センサ５０と同様に、下吸込経路１６の空きスペースのうち、熱交換器１３からの輻射熱の影響が少ない位置に下部温度センサ５１を設けるのがより好ましい。
【００６６】
上記実施形態では、上部温度センサ５０により上吸込口２２からの空気の温度を測定し、下部温度センサ５１により下吸込口２１からの空気の温度を測定するために、各吸込経路毎にそれぞれ温度センサを設けている。よって、上部温度センサ５０及び下部温度センサ５１は、上吸込口２２からの空気と下吸込口２１からの空気とが混じり合っている合流部Ａを除く位置に配置するのが好ましい。
【００６７】
なお、上記実施形態では２つの温度センサを設けたが、さらに３つ以上の温度センサを設けてもよい。
【００６８】
（５−２）変形例１Ｂ
上記実施形態では、上部温度センサ５０及び下部温度センサ５１の２つの温度センサを設けている。しかし、温度センサは１つであってもよい。図９は１つの温度センサを設けた空調室内機１０の断面図である。１つの温度センサ５２は、第１フレーム１７の連通口１７ｅの近傍に設けられている。つまり、温度センサ５２は、図７に示す合流部Ａに設けられている。ここで、合流部Ａは上吸込経路２０からの空気と下吸込経路１６から空気が合流する領域である。開閉機構３２の回動により下吸込口２１を開閉することによって、上吸込経路２０からの空気又は下吸込経路１６から空気の温度を測定可能である。
【００６９】
例えば、上吸込口２２から吸い込まれた空気の温度を測定する場合には、制御部４１は開閉機構３２を駆動してシャッター３１を閉じる。下吸込口２１からは空気が取り込まれないため、温度センサ５２は上吸込口２２から吸い込まれた空気の温度を測定する。一方、下吸込口２１から吸い込まれた空気の温度を測定する場合には、制御部４１は開閉機構３２を駆動してシャッター３１を開ける。このとき、下吸込口２１から空気が取り込まれているが、上吸込口２２からも空気は取り込まれている。そのため合流部Ａでは上吸込口２２からの空気及び下吸込口２１からの空気が混ざり合う。しかし、温度センサ５２は連通口１７ｅの近傍に設けられているため、概ね下吸込口２１からの空気の温度に近い温度を測定可能である。
【００７０】
このように温度センサが１つの場合には、温度センサを複数設ける場合よりも、温度センサの個数及び温度センサまでの配線経路の削減などにより、温度センサの設置に必要なスペース及び製造コストを削減できる。
【００７１】
（５−３）変形例１Ｃ
上記実施形態では、１台の空調室外機８０に接続されている空調室内機１０の数は特定されていない。しかし、１台の空調室外機８０に１台の空調室内機１０のみが接続されてもよいし、複数台の空調室内機１０が接続されてもよい。
【００７２】
以下に、１台の空調室外機８０に複数台の空調室内機１０が接続されている場合に本実施形態を適用する例を説明する。図１０は１台の空調室外機に複数台の空調室内機が接続されている空調システムの構成図である。
【００７３】
図１０に示すように、空調システム１００は、１台の空調室外機８０と、空調室外機８０に配管８１を介して接続されている複数台の空調室内機１０ａ、１０ｂ・・・と、を含む。このような空調システム１００においては、複数台の空調室内機１０のうち一部の空調室内機１０のみが暖房運転している場合がある。非運転の空調室内機１０は暖房運転されていないものの、その配管８１には、運転されている空調室内機１０により暖められた冷媒が一の空調室外機８０を通じて供給されている。よって、非運転の空調室内機１０が設けられた室内の上部には暖気が溜まっている。そこで、非運転の空調室内機１０は、暖気による室温の誤検出を抑制するため、暖房運転の開始時は下吸込口２１から吸い込まれた空気の温度を測定することで室温を検出する。
【００７４】
（５−４）変形例１Ｄ
上記実施形態では、制御部４１は、フラップ２９の角度に応じて、上部温度センサ５０が測定した温度又は下部温度センサ５１が測定した温度のいずれかを室温と推定して制御を行う。しかし、制御部４１は、上部温度センサ５０が測定した温度と、下部温度センサ５１が測定した温度との温度差を比較し、比較結果に応じていずれの温度を室温とするかを推定してもよい。
【００７５】
例えば、暖房運転時において、制御部４１の開閉制御部７１は下吸込口２１のシャッター３１を開くように開閉機構３２を制御する。よって、上部温度センサ５０は上吸込口２２からの空気の温度を測定し、下部温度センサ５１は下吸込口２１からの空気の温度を測定している。次に、制御部４１の室温制御部７２は、上部温度センサ５０が測定した温度と、下部温度センサ５１が測定した温度との温度差を算出する。室温制御部７２は、上部温度センサ５０が測定した温度が下部温度センサ５１が測定した温度よりも所定の閾値温度差以上大きいと判断したとする。この場合、上部温度センサ５０は室内上部に溜まった暖気の温度を測定していると考えられる。よって、室温制御部７２は、下部温度センサ５１が測定した下吸込口２１からの空気の温度を室温と推定する。一方、室温制御部７２が温度差が所定の閾値温度差より小さいと判断したとする。この場合、室温制御部７２は、上部温度センサ５０が測定した温度又は下部温度センサ５１が測定した温度のいずれを室温と推定する。
【産業上の利用可能性】
【００７６】
以上の通り、本発明によれば室温の誤検出を抑制できる空調室内機を提供することができるので、壁掛け式の空調室内機に有用である。
【符号の説明】
【００７７】
１０        空調室内機
１１        本体ケーシング
１１ａ      前面グリル
１１ｂ      前面パネル
１１ｃ      取付板
１３        熱交換器
１５        室内ファン
１６        下吸込経路      （第１吸込経路）
１７        第１フレーム
１７ｅ      連通口
１８        吹出経路
１９        吹出口
２０        上吸込経路（第２吸込経路）
２１        下吸込口（第１吸込口）
２２        上吸込口（第２吸込口）
２５        フィルタ
２７        第２フレーム
２９        フラップ
３１        シャッター
３２        開閉機構
４１        制御部
４５        設置側壁
５０        上部温度センサ
５１        下部温度センサ
５２        温度センサ
６０        ＣＰＵ
６１        ＲＡＭ
６２        ＲＯＭ
７１        開閉制御部
７２        室温制御部
７３        閾値角度テーブル
７４        制御プログラム
８０        空調室外機
８１        配管
１００      空調システム
【先行技術文献】
【特許文献】
【００７８】
【特許文献１】特開２００１−３１１５３０号公報
【図１】
2013204886.tif 000003
【図２】
2013204886.tif 000004
【図３】
2013204886.tif 000005
【図４】
2013204886.tif 000006
【図５】
2013204886.tif 000007
【図６】
2013204886.tif 000008
【図７】
2013204886.tif 000009
【図８】
2013204886.tif 000010
【図９】
2013204886.tif 000011
【図１０】
2013204886.tif 000012